(57)【要約】【課題】ＤＡＰ１１は、録音により作成した録音ファイルを記憶部４０に格納する。記憶部４０には、録音ファイルだけでなく、楽曲ファイル等の他のオーディオファイルも混在する。マイクロコンポ１２が、ＤＡＰ１１を接続されたとき、ＤＡＰ１１の記憶部４０の録音ファイルを他のオーディオファイルから区別して、自機の記憶部４０へ自動的に転送できるようにする。【解決手段】ＤＡＰ１１は、自機で作成の録音ファイルに対し、そのファイル名の先頭に自動転送マーク（例："＊←"）を付加する。マイクロコンポ１２は、ＤＡＰ１１が接続されたとき（Ｓ６１正）、ＵＳＢマスストレージとなっているＤＡＰ１１の記憶部４０を調べ、ファイル名に自動転送マークが付いているオーディオファイルを転送対象に選定し（Ｓ６２正）、それらを自機の記憶部４０へ転送する（Ｓ６３）。【選択図】図５
2010165408.tif 000002
【特許請求の範囲】
【請求項１】
録音装置と録音ファイル処理装置とから成る録音ファイル処理システムであって、
前記録音装置は、
音声を録音して録音ファイルを生成し自機の記憶媒体に格納する録音ファイル生成手段、及び
前記録音ファイル生成手段により生成した録音ファイルに対して転送処理を行う対象であることを示す対象ファイル判別子を該録音ファイル自体又は録音ファイルを格納しているフォルダに付与する対象ファイル判別子付与手段、
を備え、
前記録音ファイル処理装置は、
前記録音装置の記憶媒体に記憶されている録音ファイルより録音ファイル自体又は録音ファイルを格納しているフォルダに前記対象ファイル判別子が付与されている録音ファイルを対象ファイルとして検索する対象ファイル検索手段、及び
前記検索手段により検索された録音ファイルを自機に転送する転送処理を実行する処理手段、
備えることを特徴とする、録音ファイル処理システム。
【請求項２】
前記録音装置における対象ファイル判別子付与手段は、さらに、前記転送処理が録音ファイルの移動であるかコピーであるかを指定する指定手段を備えることを特徴とする、請求項１記載の録音ファイル処理システム。
【請求項３】
前記対象ファイル判別子付与手段は、前記対象ファイル判別子を、前記録音装置別に判別可能に設定することを特徴とする請求項１又は２記載の録音ファイル処理システム。
【請求項４】
前記対象ファイル判別子付与手段は、前記対象ファイル判別子を前記録音装置による録音時に付与することを特徴とする、請求項１〜３のいずれかに記載の録音ファイル処理システム。
【請求項５】
音声を録音して録音ファイルを生成し自機の記憶媒体に格納する録音ファイル生成手段、及び
前記録音ファイル生成手段により生成した録音ファイルに対して転送処理を行う対象であることを示す対象ファイル判別子を該録音ファイル自体又は録音ファイルを格納しているフォルダに付与する対象ファイル判別子付与手段、
を備えることを特徴とする、録音装置
【請求項６】
接続される記憶媒体に記憶されている録音ファイルより録音ファイル自体又は録音ファイルを格納しているフォルダにその録音ファイル又は録音ファイルを格納しているフォルダに対して転送処理を行う対象であることを示す対象ファイル判別子が付与されている録音ファイルを対象ファイルとして検索する対象ファイル検索手段、及び、
前記対象ファイル検索手段により検索された録音ファイル又はフォルダに格納された録音ファイルを自機に転送する転送処理を実行する処理手段、
を備えることを特徴とする、録音ファイル処理装置。
【請求項７】
音声を録音して録音ファイルを生成し自機の記憶媒体に格納する録音ファイル生成ステップ、及び
前記録音ファイル生成ステップにおいて生成した録音ファイルに対して該録音ファイルが転送処理を行う対象であることを示す対象ファイル判別子を該録音ファイル自体又は録音ファイルを格納しているフォルダに付与する対象ファイル判別子付与ステップ、
を備えることを特徴とする、録音装置制御方法。
【請求項８】
接続される記憶媒体に記憶されている録音ファイルより録音ファイル自体又は録音ファイルを格納しているフォルダにその録音ファイル又は録音ファイルを格納しているフォルダに対して転送処理を行う対象であることを示す対象ファイル判別子が付与されている録音ファイルを対象ファイルとして検索する対象ファイル検索ステップ、及び、
前記検索ステップにおいて検索した録音ファイル又はフォルダに格納された録音ファイルを自機に転送する転送処理を実行する処理ステップ、
を備えることを特徴とする、録音ファイル処理装置制御方法。
【請求項９】
請求項５記載の録音装置の各手段としてコンピュータを機能させるプログラム。
【請求項１０】
請求項６記載の録音ファイル処理装置の各手段としてコンピュータを機能させるプログラム。
【発明の詳細な説明】
【技術分野】
【０００１】
本発明は、再生機能付き携帯型録音機等がその記憶媒体に格納している録音ファイルに対して転送処理を実施する録音ファイル処理システム、録音装置、録音ファイル処理装置、方法及びプログラムに関する。
【背景技術】
【０００２】
特許文献１は、オーディオ装置及びパーソナルコンピュータに分離自在に接続されるポータブルオーディオプレーヤ（特許文献１自体は「プレーヤ」を「プレイヤ」として記述しているが、本明細書では「プレーヤ」に統一する。）を開示する（特許文献１の図１）。該ポータブルオーディオプレーヤは、その記憶装置にオーディオファイル、画像ファイル及びプレーヤデータベースを格納している（特許文献１の図２）。該プレーヤデータベースは、ユーザがパーソナルコンピュータにおいてジュークボックスアプリケーションを使って編集したプレイリストが基になっている（特許文献１の段落００２２）。ポータブルオーディオプレーヤは、パーソナルコンピュータに接続されている期間に、自機の記憶装置にパーソナルコンピュータの記憶装置のオーディオファイルを転送される際、同時に該オーディオファイルに係るプレイリストが自機のプレーヤデータベースに登録される（特許文献１の段落００２３，００２４）。プレーヤデータベースのプレイリスト情報は、各楽曲についてメタ情報（タイトル、アーティスト、アルバム、・・・）、オーディオファイル情報及び画像ファイル情報を含む（特許文献１の図２）。
【０００３】
特許文献１では、また、オーディオ装置は、画像データを抽出する条件としての画像データ抽出キー情報を記憶している（特許文献１の段落００１６，００１７）。そして、ポータブルオーディオプレーヤがオーディオ装置へ接続されて、該オーディオ装置により該ポータブルオーディオプレーヤ内の楽曲を再生する場合、該楽曲のメタ情報が画像データ抽出キー情報の条件を満たすか否か調べ（特許文献１の図３の３０６）、満たしているならば、該ポータブルオーディオプレーヤの記憶装置に記憶されていてかつ該楽曲に対応付けられている画像データがオーディオ装置の記憶装置に転送される（特許文献１の図３の３０８）。
【０００４】
一方、公知の録音機能付きデジタルオーディオプレーヤ（以下、デジタルオーディオプレーヤのことを適宜、「ＤＡＰ」という。）と、該ＤＡＰをＵＳＢケーブルにより接続される公知のＵＳＢホスト機能付きマイクロコンポとが存在する。マイクロコンポは、ＤＡＰの接続時では、ＵＳＢホスト機能によりＤＡＰの楽曲ファイルを遠隔指示により自機において再生したり、ＤＡＰのオーディオファイルを自機へ転送したりすることができる。
【０００５】
ＤＡＰは、内蔵又は着脱自在のフラッシュメモリに格納されているオーディオファイルに係る楽曲を再生自在であるとともに、内蔵又は外付けのマイクロホンからのオーディオ信号に係る録音ファイルを作成して、それをフラッシュメモリに記憶するようになっている。
【先行技術文献】
【特許文献】
【０００６】
【特許文献１】特開２００８−１４６７６４号公報
【発明の概要】
【発明が解決しようとする課題】
【０００７】
録音機能付きＤＡＰで収音して格納した録音ファイルは、該ＤＡＰで再生することができるものの、該録音ファイルの管理手法として、該ＤＡＰをマイクロコンポへ接続して、該ＤＡＰのメモリに格納されている録音ファイルを該マイクロコンポのメモリへ転送して、該マイクロコンポで管理及び再生することもある。この場合、ユーザは、転送対象の録音ファイルを、その転送指示の前に、該ＤＡＰに保存されている録音ファイルの中から選択する必要がある。該ＤＡＰのメモリには、通常、該ＤＡＰでの録音により作成した録音ファイルの他に、ユーザが聴取用に格納した楽曲ファイルが多数、含まれている。
【０００８】
録音機能付きＤＡＰのメモリ容量は増加しており、多くの録音ファイルを保存可能であるが、録音機能付きＤＡＰのサイズやコストにより、マイクロコンポに搭載される記憶媒体よりは容量が小さいことが多い。このために録音機能付きＤＡＰで録音した録音ファイルはマイクロコンポなどの記憶媒体に転送して管理する。しかし、マイクロコンポの表示器の表示面積は小さく、一度に表示できるオーディオファイルの個数がわずかである。録音機能付きＤＡＰとマイクロコンポとを接続した従来のオーディオシステムでは、ユーザが、ＤＡＰで録音した録音ファイルをマイクロコンポの記憶媒体へ転送する場合、ＤＡＰ内の録音ファイルをマイクロコンポの表示器に順番に表示させ、転送するファイルを１つずつ選択し、また、ファイル名からではＤＡＰで録音、作成した録音ファイルであるか否かが分からない場合には、オーディオファイルを再生して録音ファイルであることを一々確認してから、該録音ファイルを選択し、選択した録音ファイルに対し、ＤＡＰからマイクロコンポへの転送をマイクロコンポより指示することになる。これは、ユーザにとり非常に煩雑であるとともに、時間を要する。
【０００９】
特許文献１のオーディオ装置は、ポータブルオーディオプレーヤからオーディオ装置へのポータブルオーディオプレーヤのメモリ内の画像データを自動転送するが、該自動転送では、該自動転送に先立って、ユーザは、パーソナルコンピュータのジュークボックスアプリケーションを使って、ポータブルオーディオプレーヤのメモリにプレーヤデータベースを構築する必要があり、手間がかかるとともに、ジュークボックスアプリケーションを用意する必要がある。
【００１０】
本発明の目的は、録音装置が作成してその記憶媒体に保存した録音ファイルに対し、録音ファイル処理装置が該録音装置との接続中に、転送対象ファイルの録音ファイルを的確に選別して、転送処理を自動実行できるようにした録音ファイル処理システム、録音装置、録音ファイル処理装置、方法及びプログラムを提供することである。
【課題を解決するための手段】
【００１１】
本発明によれば、録音装置（例：録音機能付きＤＡＰ）では、オーディオ信号に基づき自機が作成した録音ファイルに対し、転送対象ファイルであることを示す対象ファイル判別子を、該コンテンツファイル自体（例：ファイル名の一部又はファイル内のタグ情報）又はその格納フォルダ（例：フォルダ名の一部又は全部）に付与する。これに対し、録音ファイル処理装置（例：マイクロコンポ）は、録音装置との接続時には、録音装置が保有する録音ファイルの中から、対象ファイル判別子を目印にして、対象ファイルを検索し、見つかった対象ファイルに対して転送処理を実行する。
【００１２】
本発明の録音ファイル処理システムは録音装置と録音ファイル処理装置とから成る。録音装置は次の手段備える。
音声を録音して録音ファイルを生成し自機の記憶媒体に格納する録音ファイル生成手段、及び
前記録音ファイル生成手段により生成した録音ファイルに対して転送処理を行う対象であることを示す対象ファイル判別子を該録音ファイル自体又は録音ファイルを格納しているフォルダに付与する対象ファイル判別子付与手段。
【００１３】
録音ファイル処理装置は次の手段を備える。
前記録音装置の記憶媒体に記憶されている録音ファイルより録音ファイル自体又は録音ファイルを格納しているフォルダに前記対象ファイル判別子が付与されている録音ファイルを対象ファイルとして検索する対象ファイル検索手段、及び
前記検索手段により検索された録音ファイルを自機に転送する転送処理を実行する処理手段。
【００１４】
本発明の録音装置制御方法は次のステップを備える。
音声を録音して録音ファイルを生成し自機の記憶媒体に格納する録音ファイル生成ステップ、及び
前記録音ファイル生成ステップにおいて生成した録音ファイルに対して該録音ファイルが転送処理を行う対象であることを示す対象ファイル判別子を該録音ファイル自体又は録音ファイルを格納しているフォルダに付与する対象ファイル判別子付与ステップ。
【００１５】
本発明の録音ファイル処理装置制御方法は次のステップを備える。
接続される記憶媒体に記憶されている録音ファイルより録音ファイル自体又は録音ファイルを格納しているフォルダにその録音ファイル又は録音ファイルを格納しているフォルダに対して転送処理を行う対象であることを示す対象ファイル判別子が付与されている録音ファイルを対象ファイルとして検索する対象ファイル検索ステップ、及び、
前記検索ステップにおいて検索した録音ファイル又はフォルダに格納された録音ファイルを自機に転送する転送処理を実行する処理ステップ。
【００１６】
本発明のプログラムは録音装置又は録音ファイル処理装置の各手段としてコンピュータを機能させる。
【発明の効果】
【００１７】
本発明によれば、録音装置が自機で作成した録音ファイルには、それが転送処理についての対象ファイルであることを示す対象ファイル判別子が、録音ファイル自体又はその格納フォルダに付けられるので、録音ファイル処理装置は、対象ファイル判別子を目印にして対象の録音ファイルを見つけ出して、該対象の録音ファイルに対して自機への転送処理を実行することができる。
【図面の簡単な説明】
【００１８】
【図１】オーディオシステムの構成図である。
【図２】ＤＡＰの詳細な内部構成図である。
【図３】マイクロコンポの詳細な内部構成図である。
【図４】録音ファイル作成方法のフローチャートである。
【図５】録音ファイル転送方法のフローチャートである。
【図６】録音ファイル処理システムのブロック図である。
【図７】録音装置制御方法のフローチャートである。
【図８】録音ファイル処理装置制御方法のフローチャートである。
【発明を実施するための形態】
【００１９】
図１はオーディオシステム１０の構成図である。オーディオシステム１０は、ユーザに携帯されるＤＡＰ（デジタルオーディオプレーヤ）１１と、マイクロコンポ１２とを備える。マイクロコンポ１２は、本体１３と、本体１３の左右に配置されるスピーカ１４とを備える。ユーザは、ＤＡＰ１１内のオーディオファイルの楽曲をマイクロコンポ１２で再生しようとする時や、ＤＡＰ１１−マイクロコンポ１２間でオーディオファイルを転送する時等に、ＵＳＢケーブル１７を介してＤＡＰ１１を本体１３へ接続する。マイクロコンポ１２は、ＵＳＢのホスト機能を有するとともに、ＤＡＰ１１がＵＳＢケーブル１７を介して接続されている時は、ＤＡＰ１１のメモリをＵＳＢマスストレージとして認識する。
【００２０】
図２はＤＡＰ１１の詳細な内部構成図である。図２において、実線の接続線はオーディオ信号の流れを示し、破線の接続線はオーディオ信号以外の制御信号や情報信号の流れを示している。
【００２１】
外部入力端子２２は、例えば外付けマイクや他のオーディオ再生装置を接続され、それらからオーディオ信号を供給される。マイク２３は、採取した音に係るオーディオ信号を生成する。セレクタ２４は、システムマイコン３６からの切替制御信号に基づき外部入力端子２２及びマイク２３からの入力の一方を選択して、それをＡＤＣ（アナログ／デジタル変換器）２５へ出力する。ＡＤＣ２５は、アナログの入力信号をデジタルの出力信号に変換して、ＤＳＰ２６へ供給する。
【００２２】
ＤＳＰ（Digital Signal Processor）２６は、エンコーダ及びデコーダを実装し、エンコーダによりＡＤＣ２５からのオーディオ信号をＷＭＡやＭＰ３の圧縮形式で符号化し、オーディオファイルとして記憶部４０に格納する。ＤＳＰ２６は、また、記憶部４０のオーディオファイルのデータを読み出し、それをデコーダにより復号し、ＤＡＣ（デジタル／アナログ変換器）２７へ送る。
【００２３】
ＤＡＣ２７は、ＤＳＰ２６からのデジタルのオーディオ信号をアナログのオーディオ信号へ変換して出力し、増幅部２８はそれを増幅する。出力部２９は、左右のイヤホーンから成り、増幅部２８からのオーディオ信号を音に変換して、出力する。
【００２４】
システムマイコン３６は、セレクタ２４及びＤＳＰ２６へ切替等の指示を出すとともに、表示部３７へは表示部３７に表示させる情報の信号を出力する。操作部３８は、ユーザ操作に係る信号をシステムマイコン３６を出力する。外部Ｉ／Ｆ（インターフェース）３９は、ＵＳＢケーブル１７（図１）が接続され、システムマイコン３６とは制御データを送受し、記憶部４０とはオーディオデータを送受する。
【００２５】
図３はマイクロコンポ１２の詳細な内部構成図である。マイクロコンポ１２の構成要素の内、図２のＤＡＰ１１の構成要素と機能が同一である構成要素は、ＤＡＰ１１の構成要素と同じ符号で指示して、説明を省略する。相違点について説明する。
【００２６】
マイクロコンポ１２では、ＤＡＰ１１のマイク２３に代えてチューナ４３が装備される。マイクロコンポ１２は、また、ＣＤメカ部４４を備える。マイクロコンポ１２の出力部２９は、スピーカ１４（図１）から成る。マイクロコンポ１２の操作部３８は、本体１３に配備されるものの他に、ワイヤレスのリモコン（図示せず）に配備されるものも含む。
【００２７】
チューナ４３は、ＦＭやＡＭのラジオ放送のオーディオ信号をセレクタ２４へ出力する。ＣＤメカ部４４は、ＣＤを挿抜自在に装填され、ＣＤから読み出したデジタルデータをＤＳＰ２６へ出力する。ＤＳＰ２６は、ＣＤの楽曲を再生するときは、ＣＤメカ部４４からのデータを復号して、ＤＡＣ２７へ出力し、ＣＤの楽曲データを圧縮保存するときは、ＣＤメカ部４４からのＣＤデータをＷＭＡ等の規格のデータへ変換し、変換後のデータを格納したオーディオファイルを記憶部４０に記憶する。
【００２８】
図４は録音ファイル作成方法５０のフローチャートである。録音ファイル作成方法５０はＤＡＰ１１のシステムマイコン３６においてプログラムにより実行される。ユーザは、ＤＡＰ１１を携帯して、所望の場所で所望の音をＤＡＰ１１により録音する。
【００２９】
Ｓ５１では、録音開始指示の有無を判定し、ユーザからの録音開始指示を受け付けしだい、Ｓ５２へ進む。録音開始指示は、ユーザがＤＡＰ１１の操作部３８の録音キーを押下することにより行われる。
【００３０】
Ｓ５２では、録音が開始される。具体的には、ＤＡＰ１１のマイク２３からのオーディオ信号をＷＭＡ又はＭＰ３の形式のデータに変換して、それを格納する録音ファイルを作成する。
【００３１】
Ｓ５３では、録音終了の指示の有無を判定し、録音終了指示を受け付けしだい、Ｓ５４へ進む。録音終了指示は、ユーザがＤＡＰ１１の操作部３８の録音停止キーを押下することにより行われる。
【００３２】
Ｓ５４では、自動転送マークを付与するか否かを判定し、判定が正であれば、Ｓ５５へ進み、否であれば、Ｓ５６へ進む。録音ファイルに自動転送マークを付与するか否かは、ＤＡＰ１１のユーザがユーザ設定によりあらかじめ設定しておくか、ユーザが録音終了指示ごとにユーザに付与するか否かを選択させるようにする。通常のユーザ設定は、自動転送マークを付与することになっている。自動転送マークの具体例については後述する。
【００３３】
Ｓ５５では、自動転送マークを付与して、録音ファイルをＤＡＰ１１の記憶部４０に記憶する。Ｓ５６では、自動転送マークを付与しないで、録音ファイルをＤＡＰ１１の記憶部４０に記憶する。自動転送マークの付与の具体的な仕方については後述する。
【００３４】
自動転送マークの具体例及びその付与の仕方の具体例について説明する。自動転送マークの付与の仕方の具体例は次のとおりである。
（ａ）自動転送マークを録音ファイルのファイル名の一部としてファイル名の所定箇所に挿入する。例えば、ファイル名の先頭に所定数のテキストとして挿入する。
（ｂ）録音ファイル内のタグ情報として格納する。例えば、ＭＰ３のＩＤ３タグには、「タイトル」、「アーティスト」、「トラック名」、「曲特徴部情報」及び「ジャンル」等のタグが用意されており、それらの１つ又は複数のタグを選定して、それに自動転送マークをテキスト又はコードで記入する。
（ｃ）録音ファイルを格納するフォルダ名の一部としてフォルダ名の所定箇所に挿入する。例えば、フォルダ名の先頭に所定数のテキストとして挿入する。
【００３５】
自動転送マークの具体例は、例えば"＊←"の２個のテキストである。それ以外の個数及びテキストを自動転送マークとして選定することもできる。ＤＡＰ１１は、録音ファイルのファイル名として例えば録音日付＋連番（例：連番を３桁として２００８年１２月５日の１番目の録音ファイルの名前→０８１２０５００１。）とする場合、該ファイル名に自動転送マークを付加すると、"＊←"＋録音日付＋連番（例：＊←０８１２０５００１）となる。自動転送マークは、オーディオファイル（録音ファイルだけでなく、楽曲のオーディオファイルも含む。）として通常使用されないテキスト列であり、特に先頭の所定数のテキストとしては使用されないテキスト列であって、かつ必要最小限のテキスト数のものを選択する。そうしないと、自機録音以外の楽曲ファイル等も自動転送マーク入りのファイル名と誤って認識されてしまう可能性があるからである。
【００３６】
自動転送マークを録音ファイルの格納フォルダ名に付与する場合も同様である。なお、ファイル名には、ピリオドとその後ろに拡張子（例：○○．ｗｍａや○○．ｍｐ３）が付加されているが、上記説明では拡張子部分を省略している。自動転送マークは、ファイル名の末尾に付加することもできるし、ファイル名の先頭と末尾に所定数の文字ずつ（例：＊０８１２０５００１←）というように、付加することもできる。
【００３７】
自動転送マークに、ＤＡＰ１１を判別する情報を付加することもできる。例えば、ユーザがＤＡＰ１１を複数、所有し、ＤＡＰ１１ごとに使い分けている場合がある。その場合に、各ＤＡＰ１１をａ，ｂ，ｃというように名付けして、自動転送マークを、各ＤＡＰ１１に対して例えば"＊ａ←"、"＊ｂ←"及び"＊ｃ←"と設定する。なお、各ＤＡＰ１１における自動転送マークを何にするかの設定は、各ＤＡＰ１１におけるユーザ設定により行えるものとする。これに対し、マイクロコンポ１２は、そのような自動転送マークを検査して、各ＤＡＰ１１ごとに処理内容（例：移動及びコピー）や転送先の格納フォルダの変更を実施することができる。
【００３８】
図５は録音ファイル転送方法６０のフローチャートである。録音ファイル転送方法６０はマイクロコンポ１２のシステムマイコン３６において所定のプログラムにより実行される。
【００３９】
Ｓ６１では、ＤＡＰ１１がマイクロコンポ１２に接続されたか否かを判定し、接続されしだい、Ｓ６２へ進む。ＤＡＰ１１がマイクロコンポ１２へ接続されたことは、例えばマイクロコンポ１２におけるＵＳＢ端子における電圧値から検出することができる。
【００４０】
Ｓ６２では、ＤＡＰ１１の記憶部４０内に自動転送マーク付きオーディオファイルの有無を判定する。そして、有りと判定されれば、Ｓ６３へ進み、否と判定されれば、録音ファイル転送方法６０を直ちに終了する。なお、前述したように、自動転送マークは、ファイル名として付与される他に、フォルダ名として付与される場合もある。その場合には、Ｓ６２では、自動転送マーク付きフォルダの有無を調べることになる。
【００４１】
Ｓ６３では、自動転送マーク付きオーディオファイルをＤＡＰ１１の記憶部４０からマイクロコンポ１２の記憶部４０へ転送する。転送先のフォルダはあらかじめ設定されていることが好ましい。もし、該フォルダがない場合には、転送に先立ち、該フォルダを作成する。自動転送マークが格納フォルダ名としてとして付与されている場合には、該格納フォルダの丸ごとの転送となる。転送には移動（ｍｏｖｅ）とコピー（ｃｏｐｙ）があるが、転送を移動として処理する場合には、移動終了後は、ＤＡＰ１１の記憶部４０から移動対象のオーディオファイルを削除する。転送をコピーとして処理する場合には、コピー終了後は、ＤＡＰ１１の記憶部４０にコピー対象のオーディオファイルを残す。
【００４２】
なお、ＤＡＰ１１の記憶部４０に残したコピー対象のオーディオファイルは、そのファイル名から自動転送マークを削除して、マイクロコンポ１２への次のＤＡＰ１１の接続時には、転送対象から外すこともできる。同様に、転送先のマイクロコンポ１２の記憶部４０に生じたオーディオファイルに対しては、そのファイル名から自動転送マークを外すこともできる。自動転送マークをフォルダに付与したときの転送後の転送元及び転送先におけるフォルダ名における自動転送マークについても、ファイル名の場合と同様に除去することができる。
【００４３】
移動とするか、コピーとするかにより別々の自動転送マークを付与することができる。例えば、"＊←"及び"＃←"をそれぞれ移動及びコピーのマークとし、マイクロコンポ１２では、それがＤＡＰ１１と接続されたとき、"＊←"付きの録音ファイルは移動し、"＃←"付きの録音ファイルはコピーすることにする。
【００４４】
マークに対して、マイクロコンポ１２の転送先のメモリを指定する意味をもたせることもできる。マイクロコンポ１２が、記憶部４０として、例えば、ハードディスク装置、ＳＤカード及びＵＳＢメモリを装備する場合、各転送先に応じて例えば"＊←"、"＃←"及び"％←"を割り当て、マイクロコンポ１２は、転送対象オーディオファイルの名前が"＊←"付きである場合には、該オーディオファイルをハードディスク装置へ転送し、"＃←"付きである場合には、該オーディオファイルをＳＤカードへ転送し、"％←"付きである場合には、該オーディオファイルをＵＳＢメモリへ転送するようにすることもできる。
【００４５】
マークに対して、マイクロコンポ１２の転送先の格納フォルダを指定する意味をもたせることもできる。マイクロコンポ１２が、例えば、マイクロコンポ１２の転送先の格納フォルダ１〜３に対して、そそれぞれ割り当て、マイクロコンポ１２は、転送対象オーディオファイルの名前が"＊←"付きである場合には、転送先フォルダをフォルダ１とし、"＃←"付きである場合には、転送先フォルダをフォルダ２とし、"％←"付きである場合には、転送先フォルダをフォルダ３とすることもできる。
【００４６】
図６は録音ファイル処理システム７０のブロック図である。録音ファイル処理システム７０の具体例はオーディオシステム１０（図１）である。録音ファイル処理システム７０は、オーディオシステムに限定されず、静止画、動画及びその他のコンテンツに係るシステムであってもよい。録音ファイル処理システム７０は相互に接続される録音装置７１及び録音ファイル処理装置７９を備える。録音装置７１及び録音ファイル処理装置７９の具体例はそれぞれＤＡＰ１１及びマイクロコンポ１２である。録音装置７１−録音ファイル処理装置７９間の接続は、典型的にはＵＳＢケーブルであるが、ＬＡＮ等のその他のケーブル又は無線による接続であってもよい。録音ファイル処理装置７９は車載型であってもよい。
【００４７】
録音装置７１は録音ファイル生成手段７２及び対象ファイル判別子付与手段７３を備える。録音ファイル生成手段７２は、音声を録音して録音ファイルを生成し自機の記憶媒体７６に格納する。対象ファイル判別子付与手段７３は、録音ファイル生成手段７２により生成した録音ファイルが転送対象ファイルであることを示す判別子を、該録音ファイル自体又は録音ファイルを格納しているフォルダに付与する。
【００４８】
録音ファイル生成手段７２が生成する録音ファイルの具体例は、ＤＡＰ１１がそのマイク２３を使って作成した録音ファイルである。記憶媒体７６は、録音装置７１が内蔵する記憶媒体（例：フラッシュメモリ）だけでなく、録音装置７１に着脱自在に装着される記憶媒体（例：ＳＤカード）であってもよい。
【００４９】
判別子付きの録音ファイルを、転送とは別の所定の処理の対象に選定することもできる。別の所定の処理の対象の例としては、例えば、再生処理又は録音日時から所定日数が経過した録音ファイルの削除処理等である。なお、録音日時は、例えば"＊←０８１２０５００１"における"０８１２０５"から判明する。対象ファイル判別子の具体例は前述の図４のＳ５４，Ｓ５５における自動転送マーク（例："＊←"の２つテキスト）である。
【００５０】
対象ファイル判別子は、所定の処理を複数（例：転送処理、再生処理及び所定日数が経過した録音ファイルの削除処理）、設定した場合に、各所定の処理を識別するものにすることができる。具体的には、例えば、対象ファイル判別子"＊←"、"＃←"及び"％←"をそれぞれ転送処理、再生処理及び所定日数が経過した録音ファイルの削除処理に割り当てることである。
【００５１】
対象ファイル判別子を録音ファイル自体に付与する具体例は、録音ファイルのファイル名に対象ファイル判別子含ませたり、録音ファイルのタグ情報部に対象ファイル判別子を書き込んだりすることである。対象ファイル判別子を転送処理、再生処理及び所定日数が経過した録音ファイルの削除処理の格納フォルダに付与する具体例は、対象ファイル判別子を格納フォルダのフォルダ名に含ませることである。ファイル名又はフォルダ名における対象ファイル判別子の位置は例えばそれら名前の先頭や末尾であってもよいし、先頭と末尾との両方であってもよいし、先頭から所定番目であってもよい。
【００５２】
好ましくは、対象ファイル判別子付与手段７３は、さらに、転送処理が録音ファイルの移動であるかコピーであるかを指定する指定手段を備える。該指定手段は、転送処理を移動とするかコピーとするかの指定の他に、転送先記憶媒体や転送先フォルダの指定を対象ファイル判別子に含ませることができる。こうして、録音ファイル処理装置７９は、対象ファイルに対してその対象ファイル判別子に基づききめ細かく転送処理を実施することができる。
【００５３】
録音ファイル処理装置７９は対象ファイル検索手段８０及び処理手段８１を備える。対象ファイル検索手段８０は、接続中の録音装置７１の記憶媒体７６に記憶されている録音ファイルの中から、録音ファイル自体又はその格納フォルダに対象ファイル判別子が付与されている録音ファイルを対象ファイルとして検索する。処理手段８１は、対象ファイル検索手段８０の検索に基づき見つかった対象ファイルに対して自機への転送処理を実行する。
【００５４】
対象ファイル判別子付与手段７３は、対象ファイル判別子を録音装置７１別に判別可能に設定することができる。すなわち、ユーザは録音装置７１を複数所有し、それら複数の録音装置７１を使い分けていることがあり、ユーザは、録音ファイル処理装置７９にいずれかの録音装置７１を接続することがあり、そのような場合に対処する。録音ファイル処理装置７９は、録音装置７１別の対象ファイル判別子に基づき録音装置７１別に処理を変更したり（例：番号１の録音装置７１に対しては録音ファイルの移動、番号２の録音装置７１に対しては録音ファイルのコピー）、転送先記憶媒体や転送先フォルダを変更したりする。
【００５５】
対象ファイル判別子付与手段は、対象ファイル判別子を録音装置７１による録音時に付与する。録音時とは、録音ファイル生成手段７２が録音ファイルを生成している期間の任意の時でよく、典型的には録音ファイルの生成開始時である。
【００５６】
図７は録音装置制御方法９０のフローチャートである。録音装置制御方法９０は録音装置７１に適用される。Ｓ９１では、音声を録音して録音ファイルを生成し、自機の記憶媒体７６に格納する。Ｓ９２では、Ｓ９１において生成した録音ファイルに対して該録音ファイルが転送対象であることを示す対象ファイル判別子を該録音ファイル自体又は録音ファイルを格納しているフォルダに付与する。
【００５７】
図８は録音ファイル処理装置制御方法１００のフローチャートである。録音ファイル処理装置制御方法１００は録音ファイル処理装置７９に適用される。Ｓ１０１では、録音ファイル処理装置７９に接続中の録音装置７１に対し、その記憶媒体７６に記憶されている録音ファイルの中から、録音ファイル自体又はその格納フォルダに対象ファイル判別子が付与されている録音ファイルを対象ファイルとして検索する。Ｓ１０２では、Ｓ１０１における検索に基づき見つかった対象ファイルを自機に転送する。
【００５８】
Ｓ９１，Ｓ９２，Ｓ１０１，Ｓ１０２の処理は、録音装置７１の録音ファイル生成手段７２及び対象ファイル判別子付与手段７３並びに録音ファイル処理装置７９の対象ファイル検索手段８０及び処理手段８１の機能にそれぞれ対応している。したがって、録音装置７１の録音ファイル生成手段７２及び対象ファイル判別子付与手段７３並びに録音ファイル処理装置７９の対象ファイル検索手段８０及び処理手段８１の機能について述べた具体的態様はＳ９１，Ｓ９２，Ｓ１０１，Ｓ１０２の処理についての具体的態様としても適用可能である。
【００５９】
本発明を適用したプログラムは、コンピュータを録音装置７１又は録音ファイル処理装置７９の各手段として機能させる。本発明を適用した別のプログラムは、録音装置制御方法９０又は録音ファイル処理装置制御方法１００の各ステップをコンピュータに実行させる。
【００６０】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００６１】
７０：録音ファイル処理システム、７１：録音装置、７２：録音ファイル生成手段、７３：対象ファイル判別子付与手段、７６：記憶媒体、７９：録音ファイル処理装置、８０：対象ファイル検索手段、８１：処理手段、９０：録音装置制御方法、１００：録音ファイル処理装置制御方法。
【図１】
2010165408.tif 000003
【図２】
2010165408.tif 000004
【図３】
2010165408.tif 000005
【図４】
2010165408.tif 000006
【図５】
2010165408.tif 000007
【図６】
2010165408.tif 000008
【図７】
2010165408.tif 000009
【図８】
2010165408.tif 000010